(57)【要約】【課題】  携帯電話端末によりホテルや空港等公共施設に設備された無線ＬＡＮスポット等を利用してＩＰ電話を実現する。【解決手段】  無線ＬＡＮアダプタ２を装着した携帯電話端末１を操作することにより、特定のプロバイダから回線接続に必要なプログラムをＩＰ網８経由で取得する。そして、この取得したプログラムに基づき無線ＬＡＮ対応のＳＩＰサーバ１０と通信を行い、ＩＰ網８を介して相手電話端末との間で音声通信を行う。【選択図】      図１
2006033477.tif 000002
【特許請求の範囲】
【請求項１】
特定のプロバイダから回線接続に必要なプログラムをＩＰ網経由で取得して内蔵のメモリに格納する携帯電話端末と、
前記携帯電話端末の外部接続端子に装着され、前記取得したプログラムに基づき前記プロバイダが提供する前記無線ＬＡＮ対応のＩＰ網接続装置と通信を行い、前記ＩＰ網を介して相手電話端末との間で音声通信を行う無線ＬＡＮアダプタと、
を具備することを特徴とする無線ＩＰ電話端末装置。
【請求項２】
前記携帯電話端末は、
当該携帯電話端末を前記ＩＰ網接続装置に接続するための通信プロトコルを実行するプロトコル実行部と、
音声信号をパケット化すると共に、前記パケットを送信するときに当該パケットの取りこぼしによる通話劣化を防ぐ優先制御処理部と、
前記無線ＬＡＮアタプタを介して前記ＩＰ網接続装置との間で認証処理を行い、前記プロトコル実行部および前記優先制御処理部による制御を有効とする認証処理部と、
を具備することを特徴とする請求項１に記載の無線ＩＰ電話端末装置。
【請求項３】
前記無線ＬＡＮアダプタは、
前記携帯電話端末の外部接続端子との間で双方向のパケットデータ通信を行う通信インタフェース部と、
前記携帯電話端末によるボタン操作に基づく設定に従い無線ＬＡＮコントローラを制御し、アクセスポイントをサーチして接続を確立すると共に、前記ＩＰ網接続装置への発着信を制御する主制御部と、
を具備することを特徴とする請求項１に記載の無線ＩＰ電話端末装置。
【請求項４】
携帯電話端末の外部接続端子を介し前記携帯電話端末と接続される無線ＬＡＮアダプタであって、
前記携帯電話端末がＩＰ網経由で特定のプロバイダから取得した回線接続に必要なプログラムに基づき、前記プロバイダが提供する無線ＬＡＮ対応のＩＰ網接続装置と通信を行い、前記ＩＰ網を介して相手電話端末との間で音声通信を行う無線ＬＡＮ通信処理部、
を具備することを特徴とする無線ＬＡＮアダプタ。
【請求項５】
携帯電話端末の外部接続端子に無線ＬＡＮアダプタを接続して成る無線ＩＰ電話端末装置を用いた音声データ通信方法であって、
特定のプロバイダから回線接続に必要なプログラムをＩＰ網経由で取得するステップと、
前記取得したプログラムに基づき前記プロバイダが提供する前記無線ＬＡＮ対応のＩＰ網接続装置と通信を行い、前記ＩＰ網を介して相手電話端末との間で音声通信を行うステップと、
を有することを特徴とする無線ＩＰ電話端末装置を用いた音声データ通信方法。
【発明の詳細な説明】
【技術分野】
【０００１】
本発明は、携帯電話端末の外部接続端子に無線ＬＡＮ（Local Area Network）アダプタを接続して成る、無線ＩＰ（Internet Protocol）電話端末装置および無線ＬＡＮアダプタならびに同装置を用いた音声データ通信方法に関する。
【背景技術】
【０００２】
携帯電話を構内ＩＰ電話と兼用して用いることができる携帯型の無線ＩＰ電話が知られている（例えば、特許文献１参照）。この場合、携帯電話は、ＩＰ−ＰＢＸ（Private Branch eXchange）間の電話機として利用され、固定電話と同じく内線番号が割当てられ、外線との通話も可能である。音声通話に対し、ＱｏＳ（Quality Of Service）機能や音声通話を優先的に制御する機能、アクセスポイントの高速切替え機能等を備えており、音声品質が確保される。
【特許文献１】特開２００４−１８０１２２号公報（段落［００１０］−［００１１］、図１）
【発明の開示】
【発明が解決しようとする課題】
【０００３】
前記した特許文献１に開示された技術によれば、携帯電話と構内ＩＰ電話を共用できるため、ＩＰ網と携帯電話網による接続をユーザが意識することなく切替えが可能である。しかしながら、ＩＰ−ＰＢＸ接続のための専用の携帯電話機を用いる必要があり、また、構内という限られた範囲でしか無線ＩＰ電話として利用することができなかった。
【０００４】
本発明は前記した事情に鑑みてなされたものであり、専用の携帯電話端末を用いることなく、普及している携帯電話端末を用い、ホテルや空港等、公共施設に設置された無線ＬＡＮスポット等を利用してＩＰ電話を実現すると共に、プロバイダとの契約料金やインターネット接続料金の低減、もしくは無償化を実現可能な、無線ＩＰ電話端末装置および無線ＬＡＮアダプタならびに同装置を用いた音声データ通信方法を提供することを目的とする。
【課題を解決するための手段】
【０００５】
前記した課題を解決するために本発明の無線ＩＰ電話端末装置は、特定のプロバイダから回線接続に必要なプログラムをＩＰ網経由で取得して内蔵のメモリに格納する携帯電話端末と、前記携帯電話端末の外部接続端子に装着され、前記取得したプログラムに基づき前記プロバイダが提供する前記無線ＬＡＮ対応のＩＰ網接続装置と通信を行い、前記ＩＰ網を介して相手電話端末との間で音声通信を行う無線ＬＡＮアダプタと、を具備することを特徴とする。
【０００６】
また、本発明において、前記携帯電話端末は、当該携帯電話端末を前記ＩＰ網接続装置に接続するための通信プロトコルを実行するプロトコル処理部と、前記音声信号をパケット化すると共に、前記パケットを送信するときに当該パケットの取りこぼしによる通話劣化を防ぐ優先制御処理部と、前記無線ＬＡＮアタプタを介して前記ＩＰ網接続装置との間で認証処理を行い、前記プロトコル実行部および前記優先制御処理部による制御を有効とする認証処理部と、を具備することを特徴とする。
【０００７】
また、本発明において、前記無線ＬＡＮアダプタは、前記携帯電話端末の外部接続端子との間で双方向のパケットデータ通信を行う通信インタフェース部と、前記携帯電話端末によるボタン操作に基づく設定に従い無線ＬＡＮコントローラ２３を制御し、アクセスポイントをサーチして接続を確立すると共に、前記ＩＰ網接続装置への発着信を制御する主制御部と、を具備することを特徴とする。
【０００８】
また、本発明は、携帯電話端末の外部接続端子を介し前記携帯電話端末と接続される無線ＬＡＮアダプタであって、前記携帯電話端末がＩＰ網経由で特定のプロバイダから取得した回線接続に必要なプログラムに基づき、前記プロバイダが提供する無線ＬＡＮ対応のＩＰ網接続装置と通信を行い、前記ＩＰ網を介して相手電話端末との間で音声通信を行う無線ＬＡＮ通信処理部、を具備することを特徴とする。
【０００９】
本発明によれば、ユーザは、携帯電話端末を操作して特定のプロバイダからＩＰ電話として動作するために回線接続に必要なプログラムをＩＰ網経由で取得し、当該取得したプログラムに基づき無線ＬＡＮ対応のＩＰ網接続装置と通信を行い、ＩＰ網を介して相手電話端末との間で音声通信を行うことができる。
このため、携帯電話端末の外部接続端子に無線ＬＡＮアダプタを装着し、当該無線ＬＡＮアタプタは、当該携帯電話を操作することによりユーザにより設定されたデータに基づきアクセスポイントをサーチし、ＳＩＰ（Session Initiation Protocol）サーバ等、ＩＰ網接続装置への発着信を制御する。ＩＰ網接続装置により、ＩＰ網を介したＩＰ電話端末同士、あるいはアナログ電話との通話を可能とする。このように、無線ＬＡＮアダプタを携帯電話端末に装着し、無線ＬＡＮインフラを用いることで、普及している携帯電話端末をＩＰ電話機として機能させることができる。
【００１０】
また、本発明は、携帯電話端末の外部接続端子に無線ＬＡＮアダプタを接続して成る無線ＩＰ電話端末装置を用いた音声データ通信方法であって、特定のプロバイダから回線接続に必要なプログラムをＩＰ網経由で取得するステップと、前記取得したプログラムに基づき前記プロバイダが提供する前記無線ＬＡＮ対応のＩＰ網接続装置と通信を行い、前記ＩＰ網を介して相手電話端末との間で音声通信を行うステップと、を有することを特徴とする。
【発明の効果】
【００１１】
本発明によれば、専用の携帯電話を用いることなく、普及している携帯電話端末を用い、また、ホテルや空港等、公共の施設に設置されている無線ＬＡＮインフラを利用して前記した携帯電話端末をＩＰ電話機として使用することができる。また、既設の無線ＬＡＮインフラを利用することで、プロバイダとの契約料金やインターネット接続料金の低減化、もしくは無償化も実現でき、ＩＰ電話の普及が加速する。
【発明を実施するための最良の形態】
【００１２】
図１は、本発明の実施形態に係わる無線ＩＰ電話端末が接続される通信インフラを説明するために引用した図である。
図１において、符号１は携帯電話端末であり、ここでは、携帯電話端末１の外部接続端子に無線ＬＡＮアダプタ２が装着されることにより、本発明の無線ＩＰ電話端末装置として機能する。符号３は、無線ＬＡＮアクセスポイント付ブロードバンドルータであり、前記した本発明の無線ＩＰ端末装置とは無線ＬＡＮインタフェースを介して接続される。また、ＩＰ網８には、特定のＩＳＰ（Internet Service Provider）が提供するＩＰ網接続装置１０（ここではＳＩＰサーバとする）を介して接続される。
なお、符号４、５は、一般アナログ回線９を介して接続されるアナログ電話機であり、符号６、７は、ＩＰ網８を介して接続されるＩＰ電話機である。また、符号２０は、企業等の特定のサイトが管理運営するＷｅｂ（World Wide Web）サーバであり、携帯電話端末１をＩＰ電話として機能させる回線接続のために必要なプログラムを備え、ユーザからの要求に従って当該プログラムをユーザの携帯電話端末１にダウンロード提供する。ユーザの携帯電話端末１は、外部接続端子に装着された無線ＬＡＮアダプタ２と協働して前記したプログラムを実行し、携帯電話端末１を無線ＩＰ電話端末装置として機能させることができる。なお、前記したプログラムは、Ｗｅｂサーバ２０に制限されることなく、ＦＴＰ（File Transfer Protocol）サーバによりダウンロード提供されてもよい。詳細は後記する。
【００１３】
図２は、図１に示す携帯電話端末の内部ブロック図であり、図３は、図１に示すＬＡＮアダプタのハードウェアの内部構成ブロック図である。
図２において、携帯電話端末１は、ＣＰＵ１１を核に、ＲＯＭ／ＲＡＭ１２、外部接続インタフェース１３、無線回路部１４、ＣＯＤＥＣ（Coder-Decoder）１５、音声処理回路１６、ボタン制御部１７、ＬＣＤ（Liquid Crystal Device）制御部１８が、アドレス、データ、コントロールのためのラインが複数本から成る内部バス１９に共通接続され、構成される。
【００１４】
アンテナ経由で送受信される音声もしくは通信データは、無線回路部１４により変復調され、音声は音声処理回路１６、通信データはＣＯＤＥＣ１５によって処理される。また、ボタン制御部１７は、ユーザによるボタン操作を検知してそのデータをＣＰＵ１１に取り込み、ＬＣＤ制御部１８は、ＣＰＵ１１によって処理されたデータを図示省略したＬＣＤに表示する。なお、音声処理回路１６は、通話の際、マイク（ＭＩＣ）を介して入力される音声を電気信号として取り込み、スピーカ（ＳＰ）を介して音声信号を出力する。
また、外部接続インタフェース１３は、無線ＬＡＮアダプタ２が装着されたときに、通信データの転送路となる通信インタフェースとして機能する。また、ＣＰＵ１１は、ＲＯＭ／ＲＡＭ１２に記録されたプログラムに基づき、前記した各ブロックの制御を行う他に、ユーザがボタン操作することによって起動され、特定のＩＳＰからＩＰ網８を介して回線接続のために必要なプログラムを取得（ダウンロード）する機能も併せ持ち、無線ＬＡＮアダプタ２と協働してこのプログラムを実行することにより、携帯電話端末１を無線ＩＰ電話端末装置として動作させることができる。詳細は後記する。
【００１５】
図３において、無線ＬＡＮアダプタ２は、コネクタ２１、ＣＰＵ２２、無線ＬＡＮコントローラ２３、アンテナ（ＡＮＴ）２４、発信器２５（ＯＳＣ：Oscillator）、電源２６で構成される。
コネクタ２１を介して携帯電話端末１の外部接続インタフェース１３（図２参照）に接続することができる。ＣＰＵ２２は、チップ内部に不揮発性メモリとＲＡＭを持つ低消費電力のワンチップＣＰＵであり、駆動電力はコネクタ２１を介して携帯電話端末１が持つ電源から供給される（電源２６）。ＣＰＵ２２は、携帯電話端末１のＲＯＭ／ＲＡＭ１２のＲＡＭに割付けられる通信ポートとデータの受け渡しを行い、また、無線ＬＡＮインタフェースを制御するＭＡＣ（Media Access Control）／ＢＢＰ（Base Band Processor）／ＲＦ（Radio Frequency）の制御を行う。更に、ＳＩＰサーバ１０（図１参照）との通信を行い、ＳＩＰサーバ１０への登録／解除、発着信動作を行う。詳細は後記する。
【００１６】
なお、ＯＳＣ２５は、ＣＰＵ２２および無線ＬＡＮコントローラ２３を駆動させるクロックを供給し、ＡＮＴ２４は、無線ＬＡＮ通信用チップアンテナである。また、携帯電話端末１（図１参照）と無線ＬＡＮアダプタ２との通信はシリアルで行なわれ携帯電話端末１のボタン操作によってコマンドが解釈され、各種設定および発着信の制御が行われる。
【００１７】
図４、図５は、本発明の無線ＩＰ電話端末を実現する、携帯電話端末、無線ＬＡＮアダプタ側のそれぞれにおける機能ブロック図である。ここに示される各ブロックは、具体的には、携帯電話端末１、無線ＬＡＮアダプタ２のそれぞれが持つＣＰＵが内蔵メモリに記録されたプログラムを逐次読み出し、実行することにより以下に示す機能を実現するものである。
図４において、携帯電話端末１の構成は、機能上、プログラム取得部１１１と、プログラム実行部１１２と、プログラムファイル１１３とに区分される。プログラム取得部１１は、Ｗｅｂサーバ２０に対してＩＰ網８を介して回線接続プログラムのダウンロード要求を発行し、ＳＩＰサーバ１０からダウンロード提供される回線接続プログラムを取り込み、プログラムファイル１１３に格納する機能を持つ。ＩＰ網８を介したプログラムのダウンロードは、ｉ−ｍｏｄｅ（登録商標）やＥｚ−ｗｅｂ（登録商標）のようなＩＰ網接続サービスを利用することで実現可能である。
【００１８】
プログラム実行部１１２は、ダウンロード提供されたプログラムをユーザが携帯電話端末１のボタン操作により起動することで実行され、その構成は、機能上、ＳＩＰプロトコル処理部１１２１（プロトコル実行部）と、ＱｏＳ（Quality of Service）制御部１１２１（優先制御処理部）と、認証処理部１１２３に区分される。
ＳＩＰプロトコル処理部１１２１は、「セッションの開始」、「変更」、「終了」の機能を扱い、ＩＰ電話機６,７（図１参照）や米国マイクロソフト社が提供するWindows Messenger（登録商標）のようなＰＣ上の通信ソフトウェアと、ユーザのドメイン毎に設置されるＳＩＰサーバ１０間でのやりとりを定義、実行する機能を持つ。詳細は、図７に示すシーケンス図を用いて後記する。
また、ＱｏＳ制御部１１２２は、音声信号をパケット化すると共に、パケットを送信するときに当該パケットの取りこぼしによる通話劣化を防ぐ優先制御処理の機能を持ち、更に、認証処理部１１２３は、無線ＬＡＮアタプタ２を介してＳＩＰサーバ１０との間で認証処理を行い、ＳＩＰプロトコル処理部１１２１とＱｏＳ制御部１１２１の動作を有効にする機能を持つ。ここでは、ＩＥＥＥ８０２．１ｘに準拠した認証機能を持つこととする。
【００１９】
図５において、無線ＬＡＮアダプタ２は、携帯電話端末１が特定のＩＳＰから取得した回線接続に必要なプログラムに基づき、ＩＳＰが提供するＳＩＰサーバ１０と通信を行い、ＩＰ網８を介して相手の電話端末との間で音声通信を行う無線ＬＡＮ制御手段として機能し、その構成が、機能上、通信インタフェース部２２１と、主制御部２２２とに区分される。
通信インタフェース部２２１は、携帯電話端末１の外部接続端子との間で双方向のパケットデータ通信を行う機能を持つ。また、主制御部２２２は、携帯電話端末１によるボタン操作に基づく設定に従い無線ＬＡＮコントローラ２３を制御してアクセスポイントをサーチして接続を確立すると共に、ＳＩＰサーバ１０への発着信を制御する機能を持ち、その構成は、機能上、設定情報受信部２２２１と、設定情報記録部２２２２と、登録処理実行部２２２３と、無線ＬＡＮ通信処理部２２２４とで構成される。
【００２０】
設定情報受信部２２２１は、ユーザのボタン操作に基づく設定を取り込んで設定情報記録部２２２２に記録する機能を持ち、登録処理実行部２２２３は、携帯電話端末１からの操作により再起動された時、設定情報記録部２２２２に設定された情報に基づいてＳＩＰサーバ１０に登録処理を行い、常時接続状態とすることで、ＩＰ電話として発着信を可能にする機能を持つ。
また、無線ＬＡＮ通信処理部２２２４は、設定された内容に従い接続可能なアクセスポイントをサーチし、見つかった場合に接続を確立させてＳＩＰサーバ１０との間で発着信の制御を行う機能を持つ。詳細は、図６に示すシーケンス図を用いて後記する。
【００２１】
図６、図７は、本発明実施形態の動作を説明するために引用したシーケンス図である。図６は、携帯電話端末１、無線ＬＡＮアダプタ２、ＳＩＰサーバ１０間において、回線接続プログラムの取得からＳＩＰサーバ１０との接続に至る処理手順を、図７は、ユーザＡ（通話元）、ユーザＢ（通話先）と、ＳＩＰサーバ１０間における発着信の処理手順のそれぞれを示す。
【００２２】
図６において、まず、ユーザは、所持する携帯電話端末１（図１参照）をＩＰ電話機として機能させるために、携帯電話端末１が持つ外部接続端子に無線ＬＡＮアダプタ２を装着する。そして、携帯電話端末１のボタンを操作することにより、特定のサイトが管理運営するＷｅｂサーバもしくはＦＴＰサーバ（ここではＷｅｂサーバ２０とする）へアクセスし、携帯電話端末１をＩＰ電話として動作させる回線接続プログラムを取得する（Ｓ６１、Ｓ６２）。ここで、回線接続プログラムはＩＰ網８を介してダウンロード（ＤＬ）され、携帯電話端末１内蔵のメモリ（ＲＯＭ／ＲＡＭ１２のＲＡＭ）に保存される。
次に、ユーザは、携帯電話端末１を操作することによって先にメモリに保存されたプログラムを起動する（Ｓ６３）。このことにより、無線ＬＡＮ通信の実行に必要な設定情報が携帯電話端末１のメモリから無線ＬＡＮアダプタ２に転送され（Ｓ６４）、無線ＬＡＮアダプタ２（図３参照）のＣＰＵ２２はその内容に従い無線ＬＡＮコントローラ２３を起動する。これを受けて無線ＬＡＮコントローラ２３は、接続可能なアクセスポイント（ＡＰ）をサーチし、見つかったときにそのアクセスポイントとの間で接続を確立させる（Ｓ６５）。
【００２３】
続いて、ユーザは、ＳＩＰサーバアドレスやＩＤ情報、自局番号等設定情報を携帯電話端末１のボタン操作により設定登録する（Ｓ６６）。ここで設定登録された内容は、無線ＬＡＮアダプタ２のＣＰＵ２２が内蔵する不揮発性メモリに蓄積される（Ｓ６７、Ｓ６８）。更に、携帯電話端末１からの操作により、無線ＬＡＮアダブタ２を再起動することで先に設定された内容をＩＰ網８経由でＳＩＰサーバ１０へ登録する（Ｓ６９、Ｓ７０）。
ＳＩＰサーバ１０への登録が終了すれば常時接続状態となって、無線ＬＡＮアダプタ２が装着された携帯電話端末１は、ＩＰ電話機としての発着信が可能になる。
【００２４】
ここで、携帯電話端末１（図１参照）に無線ＬＡＮアダプタ２が装着された無線ＩＰ電話端末をユーザＡが所持するものとし、ＳＩＰ対応のＩＰ電話機６を所持するユーザＢを通話先として発信した場合の動作について図７を用いて説明する。通話先の指定は、ＳＩＰ−ＵＲＩ（Uniform Resource Identifiers）と呼ばれるアドレス表記（ｓｉｐ：ｃｌｉｅｎｔ−ｂ＠ｄｏｍａｉｎ．ｃｏｍ）により指定が行われる。アドレス表記の最初の「ｓｉｐ」は、プロトコルを指定するもので、「＠」より後ろの「ｄｏｍａｉｎ．ｃｏｍ」がドメインで、「ｃｌｉｅｎｔ−ｂ」が通話先ユーザのＩＤである。
【００２５】
図７において、ユーザＡは、ユーザＢを呼び出す際に、まず自身のドメイン内にあるＳＩＰサーバ１０（プロキシＡ）に対してＩＮＶＩＴＥリクエストを発行し（Ｓ７１）、セッションの確立を促す。ユーザＡがドメイン内のプロキシであることを認識するには直接サーバ名を指定するか、ＤＨＣＰ（Dynamic Host Configuration Protocol）等によってあらかじめ通知しておけばよい。リクエストを受信したプロキシＡは、ステータスとして１００（Ｔｒｙｉｎｇ：現在リクエストを転送中）をユーザＡに返答し（Ｓ７６）、目的地であるドメイン「ｄｏｍａｉｎ．ｃｏｍ」内のプロキシＢに対してＩＮＶＩＴＥリクエトを発行する（Ｓ７２）。
【００２６】
ＩＮＶＩＴＥリクエトを受信したプロキシＢは、もし、通信先のユーザＢのＩＤが存在する場合、さらにユーザＢに対してＩＮＶＩＴＥリクエストの転送を試みる（Ｓ７３）。その際には、先ほど、同様にプロキシＡに対してステータス１００を返答する（Ｓ７５）。プロキシを中継して到達したＩＮＶＩＴＥリクエストは、ここではじめてユーザＢに到達することになる。ここで、ユーザＢのＩＰ電話機６は、自身が呼ばれていることをユーザＢに対して通知し（多くの場合は呼び出し音やＰＣ上でのポップアップ等）、その状態をステータス１８０（Ｒｉｎｇｉｎｇ）としてユーザＡに対して通知する（Ｓ７４、Ｓ７８、Ｓ７９）。
また、ここで、ユーザＢが呼び出しに応じれば、ステータス２００（ＯＫ）がユーザＡに対して返送され（Ｓ７７、Ｓ８０、Ｓ８１）、ユーザＡからユーザＢへＡＣＫ（Acknowledge）を送信し（Ｓ８２）、セッションが確立される（Ｓ８３）。
【００２７】
このことにより、ユーザＡが発話した音声は、携帯電話端末１でパケット化されて無線ＬＡＮアダプタ２に転送され、当該パケットデータは、ＳＩＰサーバ１０経由で通話先となるＩＰ電話機６に送信される。
【００２８】
以上説明のように本発明は、無線ＬＡＮアダプタ２を装着した携帯電話端末１を操作することにより、特定のプロバイダから回線接続に必要なプログラムをＩＰ網８経由で取得し、当該取得したプログラムに基づき無線ＬＡＮ対応のＳＩＰサーバ１０と通信を行い、ＩＰ網８を介して相手の電話端末との間で音声通信を行うものである。このため、携帯電話端末１の外部接続端子に無線ＬＡＮアダプタ２を装着し、当該無線ＬＡＮアタプタ２は、携帯電話端末１を操作することによってユーザが設定したデータに基づきアクセスポイントをサーチし、ＳＩＰサーバ１０への発着信を制御する。ＳＩＰサーバ１０により、ＩＰ網８を介したＩＰ電話端末同士、あるいはアナログ電話との通話を可能とする。このように、無線ＬＡＮアダプタ２を携帯電話端末１に装着し、かつ、無線ＬＡＮインフラを用いることで、携帯電話をＩＰ電話機として機能させることができる。
【００２９】
なお、前記した本発明実施形態では、音声データ制御を行うためにＳＩＰを用いたが、これに制限されず、「Ｈ．３２３」（ＩＰ網で音声、映像データをリアルタイムで交換するためのプロトコル）を用いるようにしてもよい。
【図面の簡単な説明】
【００３０】
【図１】本発明実施形態に係わる無線ＩＰ電話端末が接続される通信インフラストラクチャを説明するために引用した図である。
【図２】本発明実施形態に係わる携帯電話端末のハードウェア内部構成の一例を示すブロック図である。
【図３】本発明実施形態に係わる無線ＬＡＮアダプタのハードウェア内部構成の一例を示すブロック図である。
【図４】本発明実施形態に係わる無線ＩＰ電話端末を実現する携帯電話端末の機能ブロック図である。
【図５】本発明実施形態に係わる無線ＩＰ電話端末を実現する無線ＬＡＮアダプタの機能ブロック図である。
【図６】本発明実施形態に係わる動作を説明するために引用したシーケンス図である。
【図７】本発明実施形態に係わる動作を説明するために引用したシーケンス図である。
【符号の説明】
【００３１】
１      携帯電話端末
２      無線ＬＡＮアダプタ（無線ＬＡＮ通信処理部）
３      無線ＬＡＮアクセスポイント付ブロードバンドルータ
４，５  アナログ電話機
６，７  ＩＰ電話機
８      ＩＰ網
９      一般アナログ電話回線
１０    ＳＩＰサーバ（ＩＰ網接続装置）
２０    Ｗｅｂサーバ
１１１  プログラム取得部
１１２  プログラム実行部
２２１  通信インタフェース部
２２２  主制御部
１１２１  ＳＩＰプロトコル処理部（プロトコル実行部）
１１２２  ＱｏＳ制御部（優先制御処理部）
１１２３  認証処理部
【図１】
2006033477.tif 000003
【図２】
2006033477.tif 000004
【図３】
2006033477.tif 000005
【図４】
2006033477.tif 000006
【図５】
2006033477.tif 000007
【図６】
2006033477.tif 000008
【図７】
2006033477.tif 000009